(57)【要約】遠隔制御装置は電話とタッチ・スクリーン機能を有し、ユーザが双方向ＴＶプログラムに参加し、広告とインタラクトすることを前記遠隔制御装置により可能とする。この方法は、従来のコンテンツを伝送するインフラに関係せず、ＳＴＢの構成に関係しない。
2004533195.tif 000002
【特許請求の範囲】
【請求項１】
ホーム・エンターテイメント装置の制御用遠隔制御装置であって、
前記ホーム・エンターテイメント装置にコンテンツを伝送するためのさらに進んだインフラとは異なるインフラを通じて、双方向のデータ通信をするための通信装置を有する遠隔制御装置。
【請求項２】
前記通信が、コンテンツの制御信号によって制御される請求項１に記載の装置。
【請求項３】
前記通信装置が、少なくとも次の、電話、ページャーのうちの１つを有する請求項１に記載の装置。
【請求項４】
タッチ・スクリーン機能を有するＧＵＩを有する請求項１に記載の装置。
【請求項５】
前記ホーム・エンターテイメント装置を通じて再生される際に、前記コンテンツの信号を検出する検出器を有し、前記信号は、受信された前記データの前記装置でのレンダリングを制御するために使用される請求項１に記載の装置。
【請求項６】
消費者の家庭装置で再生され、供給インフラを通じて提供されるコンテンツ情報の制御によって、データの受信を前記消費者に可能にする方法であって、
−前記供給インフラに関係せずに、データネットワークを通じて前記消費者の双方向通信装置にデータを提供することと、
−再生される前記コンテンツ情報によってもたらされる制御信号を前記装置が受信することにより、前記データを表示することを可能とすることと
を有する方法。
【請求項７】
前記データが表示される場合に、そのデータがグラフィック情報を有する、請求項６に記載の方法。
【請求項８】
前記通信装置の識別に基づくユーザ・プロフィールに従って、前記データをパーソナライズすることを有する、請求項６に記載の方法。
【発明の詳細な説明】
【技術分野】
【０００１】
本発明は、エンドユーザの家庭用電化製品（ＣＥ）で受信されたコンテンツ情報に関連する情報を提供することに関する。
【背景技術】
【０００２】
「双方向テレビ（ＩＴＶ）」とは、ＴＶプログラムを拡張して、エンドユーザに双方向のサービスを提供することを言う。このサービスには、例えば、生放送プログラムの文脈の中に、専用セットトップボックス（ＳＴＢ）を通じて、特定のウェブサイトから電子情報を受信すること、特定のウェブサイトへ電子情報を送信することが含まれる。ＩＴＶの例として、ＴＶ視聴者向けのゲームや、放送される広告とインタラクトすることが挙げられる。例えば、ウィンク・コミュニケーションズ（Ｗｉｎｋ  Ｃｏｍｍｕｎｉｃａｔｉｏｎｓ）は、テレビにおいて低コスト電子商取引用のエンドツーエンドのシステムを提供している。その拡張放送システムにより、広告主と第三者が従来のＴＶプログラムに双方向の拡張性を創り出すことが可能となる。視聴者はウィンク・クライアントソフト（Ｗｉｎｋ  ｃｌｉｅｎｔ  ｓｏｆｔｗａｒｅ）がビルトインされたＳＴＢやＴＶセットと通信するリモコンをクリックすることで、拡張されたプログラムの中で製品を購入したり、パンフレットを注文したりすることが可能である。オープンティビー株式会社（ＯｐｅｎＴＶ，Ｉｎｃ．）は、デジタル双方向テレビでｅコマースのような拡張アプリケーションを可能にするＳＴＢ用ソフトウェアを提供している。
【発明の開示】
【発明が解決しようとする課題】
【０００３】
一般的には、ＩＴＶは、サービスプロバイダと、装置製造業者と、ネットワークオペレータ又はケーブルテレビ業者の仕様に従う専用インフラを必要とする。プログラムを受信するエンドユーザの装置、すなわち、ラジオやＴＶセットやＳＴＢを含めて、エンドユーザにプログラムを提供するために使用される従来のインフラに必要とされる変更を行うことなく、ＴＶプログラムやラジオプログラム等に関する追加情報をエンドユーザや消費者が受信することは、便宜であると本発明者は把握した。更に、追加情報を受信する装置は、望ましくは、ホーム・エンターテイメント環境から生ずるものであると把握した。
【発明が解決するための手段】
【０００４】
このような理由やその他の理由により、電話網を通じてサーバから追加情報を受信するために、携帯電話やページャー等の通信装置に遠隔操作装置（ＲＣ）を装備することを本発明者は提案する。電話や携帯電話は、ビルトインの部品であることが望ましい。前記ＲＣはＧＵＩとして機能するディスプレイモニタを有する。前記モニタは、望ましくは、フィリップス・エレクトロニクス（Ｐｈｉｌｉｐｓ  Ｅｌｅｃｔｒｏｎｉｃｓ）のプロント（商標）（Ｐｒｏｎｔｏ（ＴＭ））のＲＣにあるような、タッチ・スクリーン機能を有する。プログラムの放送によって、追加情報が前記ＲＣに送信される。ＧＵＩ上にテキストやアイコン等として、追加情報が表示される。テキストやアイコンでのユーザ・インタラクションにより、出力データが電話網を通じて前記サーバ又はその他のサーバに返信される。
【０００５】
アプリケーションは、ネットワークの特徴的な遅延に対応する必要があり得る。多様なデータのリアルタイム又は半リアルタイム伝達に依存する携帯電話に様々なサービスを取り入れることが可能である。例えば、加入者は、株価が特定の価格を超えたときに、ショートメッセージサービス（ＳＭＳ）による警告を提供する株発注システムをプログラムすることができる。さらに、正確な同期のために、プログラムに透かしを埋め込むことが可能である。例えば、このことにより、放送中のあるイベントに対応する必要のあるデータの全てがＲＣ上で利用可能となるが、実際の放送において関連する透かしが検出されると、レンダリングが起動されることが可能となる。事前にデータを送信し、その有効期間としてタイムスタンプを入れるという方法もある。
【０００６】
利点は多岐にわたる。例えば、本発明は電話を通信媒体として使用することにより、ＳＴＢの構成と無関係に双方向ＴＶが可能となる。さらに、ＲＣと電話の組み合わせはＳＴＢやＴＶのコンテンツ配信インフラ（ケーブルや衛星等）に無関係である。
【０００７】
ＴＶショーや放送局は、専用遠隔装置（例えば、家の色や、ＧＵＩを制御するｃｃｆファイルや、家の形によって識別可能）に資金を出すことができる。ＴＶショーや、ＴＶネットワークや、局や、もともとのコンテンツプロバイダが、ＲＣプラットホームにより収入源を得るビジネスモデルをＲＣは支援する。
【０００８】
ＴＶプログラムとＲＣへのデータ伝送との同期を実装する１つの方法は、全てをリアルタイムで行うことである。現在では、いわゆる２画面双方向ＴＶ（ＰＣでＷｅｂをブラウズしながらＴＶを見ること）が同様の同期化を使用している。ディズニーは“ミリオネア”（“Ｍｉｌｌｉｏｎａｉｒｅ”）でこれを行っており、ＭＴＶ２ではほとんどのプログラムで同様にそれを行っている。
【０００９】
あるプログラムが放送されることを電子プログラムガイド（ＥＰＧ）の予定表が示唆すると同時に、電話やページャーにメッセージを送信する方法もある。電話はこの予定表にアクセスする必要はない。別の中央システムでＥＰＧを判断して、該当する電話を起動する。前記システムは異なる地域の時差を認識し、ＲＣ・電話が存在する地域を認識する必要がある。登録処理がこの処理を行ってもよい。あるいは、携帯電話の技術により、例えば、衛星によるもの（ＧＰＳ等）、無線の三角測量（ＭＰＳ等）を通じて、装置の地理的位置を追跡することが可能である。同期を行うその他の方法は、前記ＲＣにＴＶプログラムを認識させることである。この実装は不測の場合と、意図した場合との双方において、プログラムの変化に対して強固である。可能な技術には、例えば、（音声と映像またはそのどちらかに埋め込まれた）透かしや、（音声と映像またはそのどちらかを認識するために使用される）識別特徴が含まれる。ＲＣ・電話は、透かしを検出し、又は、識別特徴を理解し、サーバに信号を送り、透かしデータ又は識別特徴に合致する命令を要求する。コンテンツ情報における識別特徴については、例えば、引用文献に含まれるＵＳ特許５，８６８，６０３を参照し、本願の参考に供せられる。あらかじめ記録されたコンテンツ情報の再生との同期は、透かしと識別特徴の同様の仕組みによって可能である。
【００１０】
発明の一形態として、消費者の家庭設備で再生されるコンテンツ情報の制御によって、消費者にデータを受信可能とする方法がある。ケーブルや衛星等の供給インフラを通じてコンテンツ情報が提供される。例えば、コンテンツ情報を再生する前に、又は、再生されるコンテンツと機能的に同期して、消費者の双方向の通信装置にデータが提供される。ストリーミング又は受信と共に、又は記録装置からの再生と共に、再生されるコンテンツ情報による制御信号を装置が受信することにより、データが表示される。実施例では、データはサーバによって提供され、通信装置の識別に基づくユーザ・プロフィールにしたがってパーソナライズされる。例えば、前記データは、ＴＶ放送の意味内容に関連する製品の即時購入ボタンを示す。前記ボタンは遠隔操作装置のタッチ・スクリーンのディスプレイに表示され得る。一例では、前記ボタンのデータは、再生されるコンテンツの中の関連付けられた透かしを検知することによって、選択的に表示されるために、遠隔のサーバから遠隔装置にダウンロードされたものである。ユーザ・プロフィールに合致すると、サーバは、購入ボタンの中から特定したもののみのデータを前記遠隔操作装置にダウンロードする。その他の方法としては、全てのボタンがダウンロードされ、ユーザのプロフィールに従って、透かしの制御によって特別なもののみが表示される。前記選択表示は、例えば、ボタンのデータにマッチング（ｍａｔｃｈｉｎｇ）やコンフリクティング（ｃｏｎｆｌｉｃｔｉｎｇ）のマークを付すことにより、実現される。
【００１１】
完全には、本願の参考に供せられる、ＵＳ特許５，４１４，７６１とＵＳ特許５，７４８，７１６が、遠隔装置の設定段階において遠隔装置のメモリにプログラムするために、電話線を通じてコントロールコードをＲＣが受信することについて開示する。双方向ＴＶの文脈の中で一般的にはサーバとの双方向通信を使用して、遠隔装置の操作に基づいて双方向テレビをユーザに可能にする、搭載された電話や通信装置を、前記遠隔装置は有さない。
【発明を実施するための最良の形態】
【００１２】
本発明は、以下に添付の図面を参照して一例により更に詳細に説明される。
【００１３】
簡単には前述の通り、本発明は、ホーム・エンターテイメント装置の制御用の遠隔操作装置（ＲＣ）に関する。前記装置は電話、又はデータ通信用のその他の装置を有する。ＴＶインフラに関係なく前記ＲＣが通信することを可能とする、その他の仕組みも使用される。例えば、モデムと電話線、ワイヤレスＩＰ接続、双方向ページャー等である。望ましくは、前記装置は、ディスプレイモニタにＧＵＩ、例えばタッチ・スクリーン機能を有するものを有する。電話で受信されたデータはディスプレイモニタに表示される。タッチ・スクリーン又はＲＣのボタンを通じて、表示されたデータとのユーザ・インタラクションが可能となる。
【００１４】
望ましくは、データ通信又はデータ・レンダリングは、同期化されるか、あるいは、放送される、又はユーザの装置にローカルに保存された後に再生される、ＴＶプログラム、又はラジオプログラムと適切な時間的関係を有する。従って、前記ＲＣ装置は再生されるコンテンツ情報の中の制御信号を検出する検出器を有する。前記制御信号は前記ＲＣ装置の適切な動作を起動するために使用される。制御信号は、例えば、音声透かしとしてコンテンツ情報に埋め込まれる。そして、検出器は前記の音声透かしを検出する作用がある。その他の例としては、制御信号は映像透かしとして埋め込まれる。映像透かし信号を検出するために、前記装置は検出器（例えば、前記装置に組み込まれ、又は、その他の装置に組み込まれ、ブルートゥース等の短距離接続を通じてＲＣ装置と通信するもの）と働き合う。ここで留意すべきは、記録を通じたコンテンツ再生のタイムシフト（ｔｉｍｅ−ｓｈｉｆｔｉｎｇ）とは無関係に、前記コンテンツ情報の透かしによってデータ通信を表示することが可能になる点である。
【００１５】
本発明の一形態として、電話を通じてデータ通信を制御する制御信号を有する放送用のコンテンツ情報を有するところにある。これにより、例えば、生放送やデジタルレコーダーへの記録を通じたタイムシフト（ｔｉｍｅ−ｓｈｉｆｔ）として、再生されるコンテンツ情報と通信とを同期することができる。
【００１６】
図１は本発明におけるシステム１００のブロック図である。システム１００は、ＴＶ放送局１０２と、消費者が局１０２のプログラム放送を受信するＴＶ受信機１０４とを有する。プログラムは、データネットワーク１０８を通じて、エンドユーザとサーバ１０６間の通信を可能とする、関連付けられた双方向サービスを有する。エンドユーザは利用可能な遠隔操作装置１１０を所有する。装置１１０により、ユーザはＩＲやＲＦを通じて家庭装置を制御可能である。望ましくは、装置１１０はタッチ・スクリーン機能を有するディスプレイモニタ１１２を有する。装置１１０は、例えば、フィリップス・エレクトロニクス（Ｐｈｉｌｉｐｓ  Ｅｌｅｃｔｒｏｎｉｃｓ）が製造するプロント（商標）・ユニバーサル・プログラマブル（Ｐｒｏｎｔｏ（ＴＭ）  ｕｎｉｖｅｒｓａｌ  ｐｒｏｇｒａｍｍａｂｌｅ）遠隔操作装置を有する。装置１１０の制御モードでは、モニタ１１２は、ユーザがタッチ・スクリーンを通じて情報交換するためのアイコンを表示する。アイコンとのインタラクションにより、例えば、受信機１０４や、デジタルビデオレコーダ１１４や、その他のＣＥ装置等の、関連付けられたＣＥ装置に対して、装置１１０が特定のＩＲ又はＲＦ制御コマンドを送信する。ネットワーク１０８を介してサーバ１０６とデータ通信を可能とするために、装置１１０は、例えば、携帯電話やページャーのような通信装置１１６を含む。装置１１０のデータ通信モードにおいて、サーバ１０６から伝達されたデータはプロセッサ１１８によって処理され、例えば、テキストとアイコンとその他のグラフィック表示、またはそのいずれかとして、スクリーン１１２に表示される。タッチ・スクリーン１１２とのユーザ・インタラクションにより、表示されたアイテムの選択が完了する。前記ユーザ・インタラクションにより、データがサーバ１０６に返信される。装置１１０は音声透かし受信機１２０を有する。受信機１２０は、ＴＶ受信機１０４で（生で又はレコーダー１１４から）再生されるコンテンツの音声部分に埋め込まれた特定の音声透かしを検出する。前記透かしはサーバ１０６とのデータ通信を制御するために使われる。例えば、コンテンツ情報の特定部分の再生中に、受信機１２０が特定の透かしを検出する。検出された透かしは、プロセッサ１１８によって、サーバ１０６から一定の情報を取り出すためのリクエストを引き出すという処理が行われる。放送されるプログラムによっては、前記リクエストは情報の特定の１つへのポインタに過ぎないものであるかもしれない。例えば、プロセッサ１１８は、サーバ１０６から、透かしをポインタに変換する参照テーブルを受信する。前記リクエストは電話１１６を通じてサーバ１０６に送信される。その結果、後者が電話１１６に情報を送信し、プロセッサ１１８に前記情報を渡す。前記情報はプロセッサ１１８の制御により、処理され、スクリーン１１２に表示される。このように、ネットワーク１０８を通じた情報供給とコンテンツの再生が、コンテンツに埋め込まれた透かしの制御によって同期される。音声透かしに加えて、又はその代わりに、映像透かし１２２を使用可能であるが、ＴＶ受信機１０４のディスプレイと検出器１１２の間に見通し線が必要とされるため、遠隔制御装置１１０に適用する場合には実用度が低いかもしれない。映像透かし検出器１１２はＴＶ受信機１０４にビルトイン又は付加され、ブルートゥース等の短距離ＲＦを用いて遠隔装置１１０と通信する。そして、前述の音声透かしについての方法と同様の方法で、プロセッサ１１８が通信装置１１６を制御する。
【００１７】
本発明の実施例では、電話１１０は特定のユーザに所有物として登録されたものである。透かしから抽出したリクエストとともに、電話１１６は特定の識別子をサーバ１０６に送信する。従って、サーバ１０６はユーザの違いを判別し、それに応じて情報供給を適応させることができる。
【００１８】
さらに本発明の実施例としては、サーバ１０６から供給された情報は、再生されるコンテンツ情報の文脈的意味に合致した商品やサービスに関する広告を有する。例えば、ユーザの装置を通じて再生される映画の特定のシーンが特定の地理的環境で始まる。前記シーンは透かしを有する。透かしの検出により、電話１１６はサーバに問い合わせ、次に、サーバは前記環境での休暇に関する広告を送信する。広告はＲＣのスクリーンに表示される。興味を持ったユーザは、例えば、メールによって追加情報を要求するために返信したり、後にさらに詳細に検討するためにテキストを保存したりすることもできる。他の例としては、サーバ１０６によって供給された情報が、放送に関連する商品の情報に関係する。サーバ１０６にユーザの応答を送信することにより、直接商品を購入するオプションを、プロセッサ１１８とスクリーン１１２のＧＵＩが提供する。さらに別の例としては、再生されるコンテンツが生放送の場合を仮定する。サーバ１０６によって供給された情報は放送されるイベントについての背景情報を有する。情報は事前に用意されたものであるかもしれないし、局で編集者がリアルタイムに編集したものであるかもしれない。この場合、透かしは同期機能として使用される。
【００１９】
留意すべきは、マークが検出された場合にサーバ１０６によって供給がもたらされる情報と、透かしとの関係は、望ましくは、変更可能、又は、動的、又は、パーソナライズ可能である点である。例えば、サーバ１０６は、前記の特定ユーザに提供されたもののログを、以前の出来事に保持し得る。このように、ユーザが同じコンテンツに応答する毎に、情報が異なり得る。サーバ１０６が前記ユーザのプロフィールを有する場合は、特定のプロファイル向けに情報がカスタマイズされ、作成される。
【００２０】
以下の文献が参照として取り込まれる：
Ｔｏｍ  Ｄｕｂｉｌ他の“ＣＯＮＴＲＯＬ  ＣＯＤＥＳ  ＦＯＲ  ＰＲＯＧＲＡＭＭＡＢＬＥ  ＲＥＭＯＴＥ  ＳＵＰＰＬＩＥＤ  ＩＮ  ＸＭＬ  ＦＯＲＭＡＴ”と題され、２０００年１０月１０日に出願された、米国特許出願番号第０９／６８６，５７２号（代理人管理番号ＵＳ０００１８３）。前記文献は、プログラム可能なユニバーサル・遠隔装置（ｕｎｉｖｅｒｓａｌ  ｒｅｍｏｔｅ）で使用される利用可能なコードを制御するインターネットサービスに関する。遠隔装置はＩＲやＲＦコマンドを通じてＣＥ装置を制御する。遠隔装置上に適切にインストールするために、受信者のセットトップボックスやＰＣ、又は遠隔装置自体で処理されるＸＭＬデータとしての制御コードを、サーバが提供する。
【００２１】
Ｊｏｏｓｔ  Ｋｅｍｉｎｋ他の“ＰＤＡ  ＨＡＳ  ＷＩＲＥＬＥＳＳ  ＭＯＤＥＭ  ＦＯＲ  ＲＥＭＯＴＥ  ＣＯＮＴＲＯＬ  ＶＩＡ  ＴＨＥ  ＩＮＴＥＲＮＥＴ”と題され、１９９９年１０月２７日に出願された、米国特許出願番号第０９／４２７，８２１（代理人管理番号ＰＨＡ２３，７８６）。前記文献は、インターネットとローカル・ホーム・サーバを通じてＣＥ装置を遠隔制御可能とするため、ＰＤＡとワイヤレスモデムを結合することに関する。
【００２２】
Ｊａｎ  ｖａｎ  Ｅｅ他の“ＲＥＭＯＴＥ  ＣＯＮＴＲＯＬ  ＨＡＳ  ＡＮＩＭＡＴＥＤ  ＧＵＩ”と題され、１９９８年８月４日に出願された、米国特許番号第０９／１２８，８３９（代理人管理番号ＰＨＡ２３，４６９）。前記文献は、ホームシアター装置の遠隔制御用遠隔制御装置に関する。前記装置は、ＧＵＩを表示するタッチ・スクリーンのディスプレイを有する。ＧＵＩのユーザ・アクティベーションにより、画面が変化する。前記変化はアニメーションを通じてもたらされる。アニメーションは連続するビットマップを表示することにより作成された、動きのシミュレーションである。アニメーションにより、ユーザが滑らかな推移として変化を認知する。このように、新しいレイアウトとの突然の直面からイメージが回避される。
【００２３】
Ｊａｎ  ｖａｎ  Ｅｅ他の“ＧＵＩ  ＯＦ  ＲＥＭＯＴＥ  ＣＯＮＴＲＯＬ  ＦＡＣＩＬＩＴＡＴＥＳ  ＵＳＥＲ−ＦＲＩＥＮＤＬＹ  ＥＤＩＴＩＮＧ  ＯＦ  ＭＡＣＲＯＳ”と題され、１９９８年８月５日に出願された、米国特許番号第０９／１２９，３００（代理人管理番号ＰＨＡ２３，４７０）。前記文献は、ホームシアターの遠隔制御装置に関する。前記装置はリモートのＧＵＩ上のオーサリング・ツールでマクロ作成・編集モードを有している。編集ツールの１つにより、ユーザは選択されたマクロをＧＵＩ上でステップの一覧を視覚的にステップアップ又はダウンできる。
【図面の簡単な説明】
【００２４】
【図１】本発明におけるシステムのブロック図である。
【図１】
2004533195.tif 000003
【国際公開パンフレット】
2004533195.tif 000004
2004533195.tif 000005
2004533195.tif 000006
2004533195.tif 000007
2004533195.tif 000008
2004533195.tif 000009
2004533195.tif 000010
2004533195.tif 000011
2004533195.tif 000012
2004533195.tif 000013
【国際調査報告】
2004533195.tif 000014
2004533195.tif 000015
2004533195.tif 000016